(57)【要約】【課題】取り付け作業の作業性と安全性とを向上させることができるようにした遊技機を提供する。【解決手段】保持枠１３ｂの背面上部に係止部材２５を設け、本体基部１１に係止部材２５と対応するように弾性アーム対２６を設ける。係止部材２５を弾性アーム対２６に挿入すると、係止凸部２５ａは弾性アーム対２６の係合部２７ｂ、２８ｂに嵌合する。また、係止部材２５はアーム部２７ａ、２８ａの付勢力によって係合部２７ｂ、２８ｂに挟持される。これにより、ガラス枠ユニット１３は、係止部材２５と弾性アーム対２６とによって本体基部１１の前面に仮固定されるため、ガラス枠ユニット１３が本体基部１１から脱落することを防止することができる。【選択図】        図３
2005000235.tif 000002
【特許請求の範囲】
【請求項１】
遊技の際に作動される作動装置が組み付けられる本体基部と、この本体基部の前面に組み付けられ、且つ遊技盤を保持する保持部材とを有する遊技機において、
前記保持部材を本体基部に所定の固定部材を用いて組み付け固定する前に、前記保持部材又は本体基部の一方に設けられた係止部材と、他方に設けられ、前記係止部材が嵌め合わされる嵌合部材とにより係止状態にすることを特徴とする遊技機。
【請求項２】
前記嵌合部材は、前記係止部材と係合するための係合部と、前記保持部材を本体基部へと係止させる際に、前記係止部材と当接することによって係合部を変位させるアーム部とを有する弾性アームからなることを特徴とする請求項１記載の遊技機。
【請求項３】
前記嵌合部材の係合部を、前記係止部材に対して対峙するように設けるとともに、前記係止部材の先端部に、前記係合部と係合するための凸部または凹部のいずれか一方を形成することを特徴とする請求項２記載の遊技機。
【請求項４】
前記保持部材の前面に、前記遊技盤の前面に形成された遊技領域を視認可能にするための開口が形成された窓部材を設けたことを特徴とする請求項１乃至３記載の遊技機。
【発明の詳細な説明】
【０００１】
【発明の属する技術分野】
本発明は、遊技場に設置して使用されるパチンコ機などの遊技機に関するものである。
【０００２】
【従来の技術】
遊技機の一つであるパチンコ機はパチンコ店などの遊技場に設置されている。パチンコ機は、パチンコ球発射装置やパチンコ球（賞球）払出装置などの遊技に応じて作動される作動装置が設けられた本体基部と、遊技盤の前面側にパチンコ球が発射される遊技領域及び入賞球装置などが設けられ、背面側に遊技に応じて作動される作動装置を作動制御する制御回路装置などを支持する部材が取り付けられた遊技盤ユニットと、遊技盤の遊技領域を視認可能にする開口が形成された窓部材などから構成される。遊技盤ユニット及び窓部材は本体基部の前面側に取り付けられ、窓部材は本体基部に軸支され開閉自在になっている。
【０００３】
【発明が解決しようとする課題】
しかしながら、本体基部に、複数の装置または部材を遊技盤に取り付けて構成する遊技盤ユニットを取り付ける場合には、遊技盤ユニットの重量が重くなるため、取り付けの際の作業性が悪くなる。また、取り付け作業中に、本体基部から遊技盤ユニットを誤って脱落させてしまうと、遊技盤ユニットや窓部材などをも破損させてしまう可能性があり、また作業者に怪我をさせてしまう恐れもある。
【０００４】
本発明は、上記事情を考慮してなされたもので、本体基部に遊技盤を含む遊技盤ユニットを取り付けて固定するにあたって、取り付け作業の作業性と安全性とを向上させることができるようにした遊技機を提供することを目的とする。
【０００５】
【課題を解決するための手段】
上記目的を達成するために、本発明の遊技機は、遊技の際に作動される作動装置が組み付けられる本体基部と、この本体基部の前面に組み付けられ、且つ遊技盤を保持する保持部材とを有するものであり、前記保持部材を本体基部に所定の固定部材を用いて組み付け固定する前に、前記保持部材又は本体基部の一方に設けられた係止部材と、他方に設けられ、前記係止部材が嵌め合わされる嵌合部材とにより係止状態にするものである。
【０００６】
また、前記嵌合部材は、前記係止部材と係合するための係合部と、前記保持部材を本体基部へと係止させる際に、前記係止部材と当接することによって係合部を変位させるアーム部とを有する弾性アームからなることを特徴とする。
【０００７】
また、前記嵌合部材の係合部を、前記係止部材に対して対峙するように設けるとともに、前記係止部材の先端部に、前記係合部と係合するための凸部または凹部のいずれか一方を形成することを特徴とする。
【０００８】
また、前記保持部材の前面に、前記遊技盤の前面に形成された遊技領域を視認可能にするための開口が形成された窓部材を設けたことを特徴とする。
【０００９】
【発明の実施の形態】
図１及び図２に示す遊技機の本実施例であるパチンコ機１０は、本体基部１１、遊技盤ユニット１２、ガラス枠ユニット１３から構成されている。本体基部１１には、パチンコ球発射装置、賞球払い出し装置、電源回路、ランプＲ、スピーカＳなどの遊技に応じて作動される装置が設けられている。
【００１０】
遊技盤ユニット１２は遊技盤１２ａと、図示しないが、遊技盤１２ａの後面に設けられる制御回路装置１２ｃを支持し、且つ、入賞口に入ったパチンコ球を所定の受部へと誘導する通路を構成するリブを有する支持板とから構成されている。遊技盤１２ａの前面側の遊技領域には、遊技領域へとパチンコ球を案内するガイドレール１４、図柄表示装置１５、始動口１６、通常入賞口１７、アタッカ１８などの所定入賞口及びアウトロ１９が設けられ、背面側には、遊技に応じて作動装置を作動制御する複数の制御回路装置１２ｂが設けられている。図示は省略してあるが、遊技盤１２ａの遊技領域には複数の障害釘や風車などの構造物が適宜箇所に設けられている。
【００１１】
制御回路装置１２ｂには、機種に応じたゲームを実行処理させるメイン制御基盤（装置）１２ｃや遊技状態に応じて作動される図柄表示装置１５の表示制御、ランプＲの点灯制御、スピーカＳから出力される音声制御などを行なうサブ制御基盤（装置）１２ｄなどから構成されている。
【００１２】
操作ハンドルＨを操作すると、遊技媒体であるパチンコ球がパチンコ球発射装置によって一個ずつ遊技盤１２の遊技領域にガイドレール１４を介して打ち出され、始動口１６、通常入賞口１７、アタッカ１８、アウトロ１９のいずれかに入る。始動口１６にパチンコ球が入ったときには図柄表示装置１５が作動され、表示されている図柄の可変表示が所定時間行われて当たり判定や演出処理が行われ判定結果が表示される。そして、図柄の可変表示が停止されたときに入賞有効位置上に所定の停止図柄の組み合わせが得られると当たりとなり、遊技上の利益を獲得する上で遊技者にとって通常よりも有利となる遊技状態へと所定期間移行される。
【００１３】
当たりが得られるときに生じる有利な遊技状態となると、例えば開閉可能な扉部材を備えたアタッカ１８を１回につき所定時間が経過するまで、又はパチンコ球が所定個数入賞するまで閉口状態から開口状態にし、これが所定回数繰り返される。始動口１６、通常入賞口１７又はアタッカ１８にパチンコ球が入賞すると所定個数のパチンコ球が景品球となる賞球払い出しが行なわれる。始動口１６、通常入賞口１７又はアタッカ１８にパチンコ球が入賞しなかった場合は、未入賞のパチンコ球としてアウトロ１９に入ってハズレ球として回収される。前記景品球は、入賞された入賞口の種類に応じた個数のパチンコ球が払い出し口２０から球受皿２１に払い出される。
【００１４】
ガラス枠ユニット１３はガラス枠扉１３ａ（窓部材）と保持枠１３ｂ（保持部材）とから構成されている。ガラス枠扉１３ａは、ヒンジ２２を介して保持枠１３ｂに開閉自在に、且つ着脱自在に取り付けられている。ガラス枠扉１３ａには、遊技盤１２ａの遊技領域を観察可能にする開口１３ｃが形成されており、開口１３ｃにガラス２３が交換可能に取り付けられている。ガラス２３は、図示しないヒンジを介して開口１３ｃに対して回動自在となるように取り付けられている。ガラス枠扉１３ａには、ガラス２３の他、ランプＲやスピーカＳなどが取り付けられている。保持枠１３ｂには遊技盤ユニット１２が着脱自在で交換可能に取り付けられている。保持枠１３ｂには遊技盤固定部材２４が設けられており、遊技盤固定部材２４と遊技盤１２ａを係合させ係止させる操作を行うことによって遊技盤ユニット１２を固定または固定解除することができる。
【００１５】
保持枠１３ｂの背面上部の２箇所には、所定間隔をあけて係止部材２５が設けられており、本体基部１１には係止部材２５と対応するように弾性アーム対２６（嵌合部材）が設けられている。保持枠１３ｂを本体基部１１へと組み付ける際に、保持枠１３ｂは、係止部材２５と弾性アーム対２６とによって本体基部１１に対し係止状態とする仮固定手段によって本体基部１１の前面に仮固定される。
【００１６】
図３及び図５に示すように、係止部材２５は、保持枠１３ｂの背面から本体基部１１に向けて突出するように設けられている。係止部材２５の先端には略菱形状の係止凸部２５ａが形成されている。弾性アーム対２６は、第１弾性アーム２７と第２弾性アーム２８が一対となるように構成されている。第１弾性アーム２７は、アーム部２７ａと係合部２７ｂとからなり、アーム部２７ａは、弾性変形する性質を有するプラスチックなどからなる略「く」の字形状の板バネで形成され、このアーム部２７ａの先端に断面形状が略半円状の係合部２７ｂが形成されている。第１弾性アーム２７と同様に第２弾性アーム２８もアーム部２８ａと係合部２８ｂとから構成されている。なお、第２弾性アーム２８の係合部２８ｂと、第１弾性アーム２７の係合部２７ｂは対称になるように配置することで係止凸部２５ａを挿入する挿入部２６ａが形成される。
【００１７】
第１、第２弾性アーム２７、２８は、本体基部１１の内側上壁に互いの係合部２７ｂ、２８ｂが対向し、且つ保持枠１３ｂの係止部材２５に対峙するように取り付けられている。このように構成された弾性アーム対２６に、係止部材２５の先端から挿入部２６ａへと当接させて挿入すると、係止部材２５の係止凸部２５ａと摺接することとなる係合部２７ｂ、２８ｂのそれぞれは、アーム部２７ａ、２８ａの付勢に抗して変位し、係止部材２５の係合凸部２５ａが完全に弾性アーム対２６の内部へと挿入されると、図４に示すように、係合凸部２５ａは係合部２７ｂ、２８ｂに嵌合し、係止部材２５はアーム部２７ａ、２８ａの付勢力によって係合部２７ｂ、２８ｂに挟持され係止状態となる。
【００１８】
図５及び図６に示すように、本体基部１１の上部にはガラス枠ユニット固定装置２９が設けられており、ガラス枠ユニット１３の上部には固定用係止部材引っ掛け部３０がガラス枠ユニット固定装置２９と対峙するように設けられている。ガラス枠ユニット１３は、ガラス枠ユニット固定装置２９及び固定用係止部材引っ掛け部３０による係合によって本体基部１１に交換可能に固定される。なお、本実施形態では図示しないが、ガラス枠ユニット固定装置２９は、本体基部１１の複数箇所に設置されている。
【００１９】
図７に示すように、ガラス枠ユニット固定装置２９には、操作部２９ａ、固定用係止部材２９ｂ、固定用係止部材取り付け部２９ｃが設けられている。操作部２９ａは軸２９ｄを中心に回動自在で、且つ、軸２９ｅを中心に揺動自在に軸支されて設けられている。固定用係止部材２９ｂは、図７（Ａ）中に実線で示す突出位置と二点鎖線で示す退避位置との間で、ガラス枠ユニット１３の取り付け方向と略垂直な方向（図中Ａ方向）に変位可能となるように固定用係止部材取り付け部２９ｃに取り付けられている。固定用係止部材取り付け部２９ｃは、図７（Ａ）中に実線で示す係止位置と二点鎖線で示す係止解除位置との間で、ガラス枠ユニット１３の取り付け方向（図中Ｂ方向）に変位可能にされている。
【００２０】
操作部２９ａが図７（Ｂ）中に実線で示す取り外し位置２９ａ１から二点鎖線で示すロック解除位置２９ａ２に回動（図中Ｄ方向）されると、固定用係止部材２９ｂが退避位置２９ｂ１から突出位置２９ｂ２に変位される。固定用係止部材２９ｂを突出位置２９ｂ２へと変位させた後に、操作部２９ａを図７（Ａ）中に二点鎖線で示すロック位置２９ａ３に揺動（図中Ｅ方向）させると、固定用係止部材取り付け部２９ｃが突出位置２９ｂ２から係止位置２９ｂ３に変位される。
【００２１】
図５に示すように、固定用係止部材引っ掛け部３０は、ガラス枠ユニット１３が本体基部１１に取り付けられたときに、ガラス枠ユニット固定装置２９の固定用係止部材２９ｂと対向するように形成されている。固定用係止部材引っ掛け部３０には開口３０ａが形成されている。開口３０ａは固定用係止部材２９ｂが挿入可能な大きさに形成されている。固定用係止部材取り付け部２９ｃを係止位置２９ｂ３に位置させることで、固定用係止部材引っ掛け部３０と固定用係止部材２９ｂとが係止するようになる。
【００２２】
次に、上記実施形態による作用について説明する。図５及び図６に示すように、ガラス枠ユニット１３を本体基部１１に取り付けて交換可能に固定する場合、先ず、ガラス枠ユニット１３の係止部材２５を本体基部１１の弾性アーム対２６に挿入しながら遊技盤ユニット１２が装着されているガラス枠ユニット１３を本体基部１１に嵌め込む。すると図４に示すように、係止部材２５の係止凸部２５ａが第１、第２弾性アーム２７、２８の係合部２７ｂ、２８ｂに嵌合する。さらに第１、第２弾性アーム２７、２８の係合部２７ｂ、２８ｂがアーム部２７ａ、２７ｂの付勢力によって係止部材２５を挟持し、係止状態となる。このように、弾性アーム対２６が係止部材２５を係止することによって、ガラス枠ユニット１３は本体基部１１の前面にガラス枠ユニット固定装置２９によって固定される前に一時的に仮固定される。
【００２３】
仮固定後、ガラス枠ユニット固定装置２９の操作部２９ａが取り外し位置２９ａ１からロック解除位置２９ａ２に回動されると、固定用係止部材２９ｂが退避位置２９ｂ１から突出位置２９ｂ２に突出する。これにより、固定用係止部材２９ｂが係止部材引っ掛け部３０の開口３０ａ内に入り込む。操作部２９ａがロック解除位置２９ａ２からロック位置２９ａ３に揺動されると、固定用係止部材取り付け部２９ｃが係止解除位置２９ｂ２から係止位置２９ｂ３に変位する。これにより、固定用係止部材２９ｂが固定用係止部材引っ掛け部３０を本体基部１１側に引き込むように弛緩なく係止し、ガラス枠ユニット１３が本体基部１１に組み付け固定される。
【００２４】
このように、ガラス枠ユニット１３を本体基部１１に組み付け固定する前に、ガラス枠ユニット１３の背面上部に設けられた係止部材２５と、本体基部１１に係止部材２５と対応するように設けられた弾性アーム対２６とで、ガラス枠ユニット１３を本体基部１１の前面に仮固定することによって、固定作業を行なう際、遊技盤ユニット１２が装着されているガラス枠ユニット１３が本体基部１１から脱落することを防止することができる。
【００２５】
なお、第１弾性アーム２７と第２弾性アーム２８とからなる弾性アーム対２６の代わりに、図８に示すような一体型弾性アーム対３１を用いても良い。この一体型弾性アーム対３１は、アーム部３１ａと係合部３１ｂ、３１ｃとからなり、アーム部３１ａは弾性変形する性質を有するプラスチックなどからなる略「く」の字形状の板バネで形成され、このアーム部３１ａの両端には断面形状が略半円状の係合部３１ｂ、３１ｃが形成されている。図９に示すように、係止部材２５が一体型弾性アーム対３１に挿入されると、係止凸部２５ａは係合部３１ｂ、３１ｃに嵌合し、且つ係止部材２５はアーム部３１ａの付勢力によって係合部３１ｂ、３１ｃに挟持され係止状態となる。このように構成することで、上記実施形態と同様にガラス枠ユニット１３を本体基部１１の前面にガラス枠ユニット固定装置２９によって固定される前の仮固定をすることができる。
【００２６】
上記実施形態では、係止部材２５の先端に略菱形状の係止凸部２５ａを形成したが、係止部材２５の先端に係止凹部を形成して一体型弾性アーム対３１を嵌合させても良い。このように、係止凸部２５ａの形状は適宜に変更することが可能である。また、係止部材２５の大きさ、設置箇所、設置個数についても適宜に変更することが可能である。
【００２７】
上記実施形態では、遊技盤ユニット１２を保持可能なガラス枠ユニット１３を本体基部１１に対し着脱自在に交換可能としたが、球受皿２１など、ガラス枠ユニット１３以外の部分をガラス枠ユニット１３と一体化して着脱自在で交換可能としても良い。
【００２８】
上記実施形態では、ガラス枠ユニット１３を本体基部１１に固定する固定部材としてガラス枠ユニット固定装置２９及び固定用係止部材引っ掛け部３０を用いたが、固定方法については、これに限ることなく、ガラス枠ユニット１３と本体基部１１とをネジ止め、ビス止め、あるいはかしめ結合などにより固定しても良く、このように仮固定後に行なう本固定については適宜の方法で行なうことが可能である。
【００２９】
上記実施形態では、保持枠１３ｂとガラス枠扉１３ａとが一体化された遊技盤ユニット１２付きのガラス枠ユニット１３を本体基部１１に仮固定したが、ガラス枠ユニット１３のみ、または保持枠１３ｂのみを本体基部１１に仮固定することも勿論可能である。
【００３０】
上記実施形態では、遊技盤１２ａと制御回路装置１２ｂとを一体化したが、制御回路装置１２ｂを本体基部１１と一体化、または、制御回路装置１２ｂをガラス枠ユニット１３を構成する少なくとも何れかの部材と一体化しても良い。
【００３１】
【発明の効果】
以上のように、本発明の遊技機によれば、保持部材を本体基部に所定の固定部材を用いて組み付け固定する前に、保持部材又は本体基部の一方に設けられた係止部材と、他方に設けられ、係止部材が嵌め合わされる嵌合部材とにより係止状態にしたので、所定の固定部材を用いて保持部材を本体基部に固定させる際に、保持部材が本体基部から脱落することを防止することができ、これにより作業性及び安全性が向上する。
【図面の簡単な説明】
【図１】本発明を実施したパチンコ機の外観斜視図である。
【図２】ガラス枠ユニットが本体基部から分離された状態を示す斜視図である。
【図３】係止部材及び弾性アーム対を示す斜視図である。
【図４】係止部材が弾性アーム対に挿入された状態を示す斜視図である。
【図５】ガラス枠ユニット及び本体基部の断面図である。
【図６】ガラス枠ユニットが本体基部に固定された状態を示す断面図である。
【図７】ガラス枠ユニット固定装置の側面図及び正面図である。
【図８】係止部材及び一体型弾性アーム対の断面図である。
【図９】係止部材が一体型弾性アーム対に挿入された状態を示す断面図である。
【符号の説明】
１０  パチンコ機
１１  本体基部
１２  遊技盤ユニット
１３  ガラス枠ユニット
１３ａ  ガラス枠扉
１３ｂ  保持枠
１３ｃ  開口
２５  係止部材
２５ａ  係止凸部
２６  弾性アーム対
２７ａ、２８ａ  アーム部
２７ｂ、２８ｂ  係合部
３１  一体型弾性アーム対
【図１】
2005000235.tif 000003
【図２】
2005000235.tif 000004
【図３】
2005000235.tif 000005
【図４】
2005000235.tif 000006
【図５】
2005000235.tif 000007
【図６】
2005000235.tif 000008
【図７】
2005000235.tif 000009
【図８】
2005000235.tif 000010
【図９】
2005000235.tif 000011